(57)【特許請求の範囲】
【請求項１】
筐体の正面側に設けられた表示部と、前記筐体の一側面に設けられたケーブル引出部とを備え、前記ケーブル引出部から引き出されるケーブルによって接続される機器から得られる情報の表示を行い、前記ケーブルの前記機器からの引出方向又は周囲の障害物に応じて前記ケーブル引出部の位置が設定される表示器において、
前記表示部の表示内容を回転させるために操作される操作手段と、
前記操作手段が操作された場合に、前記表示部の表示内容を前記表示部の表示面内で予め規定された角度だけ回転させる制御手段と、
前記操作手段に対して行われる操作を規制して前記操作手段の誤操作を防止する誤操作防止手段と
を備えることを特徴とする表示器。
【請求項２】
前記表示部は、表示機能と操作機能とを兼ね備えるタッチパネルを備えており、
前記制御手段は、前記表示部の表示内容の回転に合わせて、前記タッチパネルの操作座標系を回転させる
ことを特徴とする請求項１記載の表示器。
【請求項３】
前記操作手段は、前記筐体の内部に設けられた電子基板に取り付けられているスイッチであり、
前記誤操作防止手段は、前記スイッチの取り付け位置に対応する位置に大きさが前記スイッチと同程度の小窓が形成されており、前記小窓が前記スイッチの取り付け位置に配置され、且つ前記電子基板の全面を覆うように前記筐体の内部に配置される保護プレートである
ことを特徴とする請求項１又は請求項２記載の表示器。
【請求項４】
前記保護プレートは、ネジ止めされていることを特徴とする請求項３記載の表示器。
【請求項５】
前記操作手段は、前記表示器に表示されるソフト的なスイッチであり、
前記誤操作防止手段は、前記ソフト的なスイッチの操作を可能とする認証を行うための認証画面である
ことを特徴とする請求項２記載の表示器。
【請求項６】
前記制御手段は、前記操作手段が操作される度に、前記表示部の表示内容を１８０度ずつ回転させることを特徴とする請求項１から請求項５の何れか一項に記載の表示器。
【請求項７】
前記制御手段は、前記操作手段が操作される度に、前記表示部の表示内容を９０度ずつ回転させることを特徴とする請求項１から請求項５の何れか一項に記載の表示器。
【発明の詳細な説明】
【技術分野】
【０００１】
本発明は、工業用途の各種機器から得られる情報の表示を行う表示器に関する。
【背景技術】
【０００２】
プラントや工場等では、各種製品の生産を行うために様々な機器が用いられている。例えば、ガス分析計や液体分析計等の分析機器、流量計や圧力計等の測定機器、チャートレコーダ等の記録機器等である。これらの機器には、機器で得られた各種情報（例えば、分析結果を示す情報、測定結果を示す情報、機器の内部状態を示す情報）を表示するための表示器がケーブルを介して接続される。尚、表示機能と操作機能とを兼ね備えるタッチパネル式の表示器が接続されることもある。
【０００３】
このような表示器が接続されていることで、作業者は、プラント等の現場で表示器の表示内容を参照することにより、各種製品の生産が正常に行われているか否か、プラント等に設置された各種機器が正常に動作しているか否か、等を確認することができる。また、上述したタッチパネル式の表示器が接続されている機器については、プラント等の現場で表示器を操作することで、機器に対する各種設定を行うことも可能である。
【０００４】
以下の非特許文献１，２には、表示器が設けられた従来のレーザガス分析計が開示されている。このレーザガス分析計は、操作部を有する大型の表示器、或いは操作部を有しない小型の表示器の取り付けが可能なものである。尚、以下の非特許文献１，２は、同一モデル（ＴＤＬＳ２００）のレーザガス分析器のカタログであって、以下の非特許文献１は日本語版のカタログであり、以下の非特許文献２は英語版のカタログである。
【先行技術文献】
【非特許文献】
【０００５】
【非特許文献１】“General Specifications TDLS200 レーザガス分析計”，［ONLINE］，Yokogawa Electric Corporation，［平成２６年９月３０日検索］，インターネット＜URL: http://www.yokogawa.co.jp/an/download/general/GS11Y01B01-01.pdf＞
【非特許文献２】“General Specifications Model TDLS200 [style: S2.01] Tunable Diode Laser Spectroscopy (TDLS) Analyzer”，［ONLINE］，Yokogawa Corporation of America，［平成２６年９月３０日検索］，インターネット＜URL: http://www.yokogawa.com/an/download/general/GS11Y01B01-01E-A.pdf＞
【発明の概要】
【発明が解決しようとする課題】
【０００６】
ところで、従来の表示器は、表示部の表示方向（文字や数字の読み方向）が固定されており、作業者が表示部の表示内容を容易に確認できるようにするために、表示部の表示方向に合わせてプラント等の現場に設置される。例えば、作業者が表示器の正面側から見た場合に、表示部に表示される文字を左から右に向かう方向に読むことができるように設置される。
【０００７】
このように、従来の表示器は、表示部の表示方向に合わせて設置されており、ケーブルの引出方向を考慮して設置されている訳ではないため、ケーブルを配線する際に不具合が生ずることがある。例えば、表示器におけるケーブルの引出方向と、接続される機器におけるケーブルの引出方向との関係によっては、ケーブルを大きく引き回して配線しなければならず、ケーブルを最短距離で配線することができないという不具合が生ずる。
【０００８】
また、ケーブルを保護するための配管（コンジット）が用いられる場合には、ケーブルの引き回しを更に大きくしたり、或いは表示器に接続される機器のケーブルの引出方向の変更が必要になったりするという不具合が生ずることも考えられる。これは、金属或いは樹脂製の配管であるコンジットは、ケーブルに比べると曲げ半径が大きくなり、容易に引き回すことができないからである。
【０００９】
上述した不具合を解消するために、表示部の表示方向よりもケーブルの引出方向を優先して表示器を設置することもできる。しかしながら、ケーブルの引出方向を優先して表示器を設置してしまうと、作業者が表示部の表示内容を確認することが困難になり、作業効率が低下する虞が考えられる。また、作業者が表示器の表示内容を誤って読み取ってしまう可能性も考えられる。
【００１０】
以上の通り、従来の表示器は、表示部の表示方向に合わせて設置した場合には周囲の状況によってケーブルの配線に不具合が生ずることがある一方で、ケーブルの引出方向を優先して設置した場合には表示内容の確認が困難になることがあるという問題があった。ここで、周囲の状況に応じてケーブルの引出方向を自由に設定することができ、且つ設定されたケーブルの引出方向に応じて表示部の表示方向を変えることができれば、周囲の状況に応じて表示器を最適な状態で設置することができると考えられる。
【００１１】
本発明は上記事情に鑑みてなされたものであり、周囲の状況に応じて最適な状態で設置することが可能な表示器を提供することを目的とする。
【課題を解決するための手段】
【００１２】
上記課題を解決するために、本発明の表示器は、筐体（１１）の正面側に設けられた表示部（１３）と、前記筐体の一側面に設けられたケーブル引出部（１４ａ、１４ｂ）とを備える表示器（１）において、前記表示部の表示内容を回転させるために操作される操作手段（２１、Ｂ１）と、前記操作手段が操作された場合に、前記表示部の表示内容を前記表示部の表示面内で予め規定された角度だけ回転させる制御手段（４３）と、前記操作手段に対して行われる操作を規制して前記操作手段の誤操作を防止する誤操作防止手段（３０、Ｇ１）とを備えることを特徴としている。
この発明によると、表示部の表示内容を回転させるために操作される操作手段に対して行われる操作が誤操作防止手段によって規制され、操作手段が操作された場合に、表示部の表示内容が表示部の表示面内で予め規定された角度だけ回転される。
また、本発明の表示器は、前記表示部が、表示機能と操作機能とを兼ね備えるタッチパネルを備えており、前記制御手段が、前記表示部の表示内容の回転に合わせて、前記タッチパネルの操作座標系を回転させることを特徴としている。
また、本発明の表示器は、前記操作手段が、前記筐体の内部に設けられた電子基板（２０）に取り付けられているスイッチ（２１）であり、前記誤操作防止手段が、前記スイッチの取り付け位置に対応する位置に大きさが前記スイッチと同程度の小窓（３０ａ）が形成されており、前記小窓が前記スイッチの取り付け位置に配置され、且つ前記電子基板の全面を覆うように前記筐体の内部に配置される保護プレート（３０）であることを特徴としている。
また、本発明の表示器は、前記操作手段が、前記表示器に表示されるソフト的なスイッチ（Ｂ１）であり、前記誤操作防止手段が、前記ソフト的なスイッチの操作を可能とする認証を行うための認証画面（Ｇ１）であることを特徴としている。
また、本発明の表示器は、前記制御手段が、前記操作手段が操作される度に、前記表示部の表示内容を１８０度ずつ回転させることを特徴としている。
或いは、本発明の表示器は、前記制御手段が、前記操作手段が操作される度に、前記表示部の表示内容を９０度ずつ回転させることを特徴としている。
【発明の効果】
【００１３】
本発明によれば、表示部の表示内容を回転させるために操作される操作手段に対して行われる操作を誤操作防止手段で規制し、操作手段が操作された場合に、表示部の表示内容を表示部の表示面内で予め規定された角度だけ回転するようにしており、表示器の設置状況に応じて表示部の表示内容を回転させることができるため、周囲の状況に応じて最適な状態で設置することができるという効果がある。また、誤操作による表示内容の回転を防止することができるという効果もある。
【図面の簡単な説明】
【００１４】
【図１】本発明の一実施形態による表示器の外観を示す斜視図である。
【図２】本発明の一実施形態による表示器の表示器カバーを開いた状態を示す斜視図である。
【図３】本発明の一実施形態による表示器の電気構成を簡略化して示すブロック図である。
【図４】本発明の一実施形態による表示器の表示例を示す図である。
【図５】本発明の一実施形態による表示器の設置例を示す図である。
【図６】本発明の一実施形態による表示器の第１変形例を説明するためである。
【図７】本発明の一実施形態による表示器の第２変形例を説明するためである。
【発明を実施するための形態】
【００１５】
以下、図面を参照して本発明の一実施形態による表示器について詳細に説明する。図１は、本発明の一実施形態による表示器の外観を示す斜視図である。図１に示す通り、本実施形態の表示器１は、筐体１１、表示器カバー１２、表示部１３、及びケーブル引出部１４ａ，１４ｂを備えており、例えばプラント等の現場に設置され、ケーブル引出部１４ａ，１４ｂから引き出されるケーブルＣ１，Ｃ２によって接続される機器（図示省略）から得られる情報の表示を行う。尚、表示器１に接続される機器としては、例えばガス分析計や液体分析計等の分析機器、流量計や圧力計等の測定機器、チャートレコーダ等の記録機器、アナライザ、プラントの分散制御システム（ＤＣＳ：Distributed Control System）等が挙げられる。ケーブルＣ１，Ｃ２は、例えば信号の入出力が可能なイーサネット（登録商標）ケーブルである。
【００１６】
筐体１１は、正面側が開口された直方体状の中空な箱体であり、例えば高剛性アルミニウム等の剛性の高い金属或いは樹脂によって形成されている。この筐体１１は、防爆要件を満たすために、正面側が表示器カバー１２によって密閉される構造である。尚、詳細は後述するが、筐体１１の内部には、ケーブルＣ１，Ｃ２を介して入力される各種信号の処理を行う信号処理回路、及び表示部１３の表示処理を行う表示処理回路等が設けられた電子基板２０（図２（ｂ）参照）が収容されている。
【００１７】
表示器カバー１２は、背面側が開口された直方体状の中空な箱体であり、正面の中央部に開口部が形成されており、例えば高剛性アルミニウム等の剛性の高い金属或いは樹脂によって形成されている。この表示器カバー１２は、図１中の左端部においてヒンジＨを介して筐体１１に開閉可能に取り付けられている。また、表示器カバー１２の正面裏側（閉状態で筐体１１の内側に配置される面）の中央部には、正面側から開口部を介して表示面を視認することができるよう表示部１３が取り付けられている。
【００１８】
この表示器カバー１２の四隅がネジＮ１によって筐体１１にネジ止めされることにより、表示器カバー１２（表示部１３が取り付けられた表示器カバー１２）によって筐体１１が密閉され、防塵性、防水性が確保される。ここで、表示器カバー１２をネジＮ１によって筐体１１にネジ止めするのは、プラント等の現場に設置された後は容易にその内部にアクセスできないようにするためでもある。
【００１９】
表示部１３は、例えば表示機能と操作機能とを兼ね備えるタッチパネル式の液晶表示装置を備える。この表示部１３は、ケーブルＣ１，Ｃ２によって接続された機器から得られる情報（例えば、分析結果を示す情報、測定結果を示す情報、機器の内部状態を示す情報）を表示し、液晶表示装置の表示面に対する操作が行われた場合には、その操作に応じた指示を入力する。ケーブル引出部１４ａ，１４ｂは、ケーブルＣ１，Ｃ２の端部が接続される部位であり、図１に示す例では筐体１１の右側面（ヒンジＨが設けられた側面とは反対側の側面）に設けられている。
【００２０】
図２は、本発明の一実施形態による表示器の表示器カバーを開いた状態を示す斜視図である。尚、図２（ａ）は、筐体１１の内部に設けられる保護プレート３０が取り付けられている状態を示す斜視図であり、図２（ｂ）は、保護プレート３０が取り外された状態を示す斜視図である。また、図２においては、ケーブル引出部１４ａ，１４ｂに接続されるケーブルＣ１，Ｃ２の図示は省略している。
【００２１】
図１に示す表示器カバー１２の四隅に取り付けられたネジＮ１を、ドライバ等の工具を用いて取り外し、表示器カバー１２の右端部を手前に引き寄せると、表示器カバー１２がヒンジＨの軸の周りで回転して図２（ａ）に示す状態になる。図２（ａ）に示す通り、表示器カバー１２を開いた状態にすると、筐体１１の内部に設けられた保護プレート３０（誤操作防止手段）が現れるとともに、表示器カバー１２の内部に収容された表示部１３の裏側が現れる。
【００２２】
保護プレート３０は、例えばアルミニウム等の金属或いは樹脂によって形成された板状部材であり、図２（ｂ）に示す電子基板２０を保護するとともに、電子基板２０に取り付けられているスイッチ２１（操作手段）の誤操作を防止するためのものである。この保護プレート３０には、スイッチ２１の取り付け位置に対応する位置に、大きさがスイッチ２１と同程度の四角い切り欠きである小窓３０ａが形成されている。具体的に、小窓３０ａの大きさは、スイッチ２１の誤操作を防止するために、作業者が指先を介挿することができない程度の大きさに設定される。
【００２３】
この保護プレート３０は、図２（ａ）に示す通り、小窓３０ａがスイッチ２１の取り付け位置に配置され、且つ、図２（ｂ）に示す電子基板２０の全面を覆うように筐体１１の内部にネジＮ２によってネジ止めされる。これにより、スイッチ２１は、保護プレート３０の小窓３０ａを介して視認できるものの、小窓３０ａを介した指先による操作が不可能な状態になり、作業者によるスイッチ２１の誤操作が防止される。尚、スイッチ２１は、例えば保護プレート３０の小窓３０ａに、ドライバ等の先の細い工具を差し込めば操作可能である。
【００２４】
図２（ａ）に示す保護プレート３０の四隅に取り付けられたネジＮ２を、ドライバ等の工具を用いて取り外した上で保護プレート３０を取り外すと、図２（ｂ）に示す状態になる。図２（ｂ）に示す通り、保護プレート３０が取り外されると、筐体１１内に収容された電子基板２０が現れる。この電子基板２０には、上述したスイッチ２１に加えて、前述した信号処理回路や表示処理回路等の回路を実現する電子部品２２が設けられている。
【００２５】
電子基板２０に取り付けられているスイッチ２１は、表示部１３の表示内容を回転させるために設けられるスイッチである。つまり、スイッチ２１は、表示器１の設置状況に応じて、表示部１３の表示方向を変えるために設けられる。このスイッチ２１としては、例えばスライド式のスイッチ、或いは押しボタン式のスイッチを用いることができる。尚、表示器１は、プラント等の現場に設置された後は設置位置が固定され、設置位置が変更されることが殆ど無い。このため、スイッチ２１は、誤操作等を防止する観点から筐体１１の内部に収容される電子基板２０に取り付けられている。
【００２６】
図３は、本発明の一実施形態による表示器の電気構成を簡略化して示すブロック図である。尚、図３においては、図１，２に示す構成に相当するブロックには同一の符号を付してある。図３に示す通り、表示器１は、表示部１３、ケーブル引出部１４ａ，１４ｂ、及びスイッチ２１に加えて、信号入出力部４１、信号処理部４２、及び制御部４３（制御手段）を備える。
【００２７】
信号入出力部４１は、ケーブル引出部１４ａ，１４ｂからの信号（不図示の機器からの信号）を入力し、或いは不図示の機器への信号をケーブル引出部１４ａ，１４ｂに出力する。信号処理部４２は、制御部４３の制御の下で、信号入出力部４１に入力された信号の処理を行う。具体的に、信号処理部４２は、信号入出力部４１に入力された信号を、物理的に意味がある情報に変換する処理を行う。例えば、信号入出力部４１に入力された信号が、温度計からの信号である場合には温度を示す画像情報に変換し、圧力計からの信号である場合には圧力を示す画像情報に変換し、レーザガス分析計の検出器からの信号である場合にはガス濃度を示す画像情報に変換する処理を行う。信号処理部４２で変換された信号は、アプリケーションに応じて、制御部４３に出力され、或いは信号入出力部４１からケーブル引出部１４ａ，１４ｂに出力される。
【００２８】
制御部４３は、表示器１の動作を統括して制御する。例えば、制御部４３は、上述の通り、信号処理部４２で行われる処理を制御する。また、制御部４３は、信号処理部４２の処理によって得られた情報を表示部１３に表示させる表示制御を行う。尚、制御部４３は、表示部１３から入力される指示（タッチパネル式の液晶表示装置によって入力される指示）に応じた各種設定や制御を行う。
【００２９】
ここで、制御部４３は、スイッチ２１が操作された場合に、表示部１３の表示内容を、表示部１３の表示面内で予め規定された角度だけ回転させる制御を行う。具体的に、制御部４３は、スイッチ２１が操作される度に表示部１３の表示内容を１８０度ずつ回転させる。また、制御部４３は、表示内容の回転に合わせて、表示部１３に設けられたタッチパネル式の液晶表示装置の操作座標系を回転させる。
【００３０】
図４は、本発明の一実施形態による表示器の表示例を示す図である。尚、図４（ａ）は、筐体１１の内部に収容される電子基板２０に取り付けられているスイッチ２１がオフ状態である場合の表示例を示す図であり、図４（ｂ）は、スイッチ２１がオン状態である場合の表示例を示す図である。ここでは、図４に示す通り、表示器１は、ケーブル引出部１４ａ，１４ｂが表示器１の右側に配置されるように設置されているものとする。
【００３１】
スイッチ２１がオフ状態に設定されている場合には、例えば、図４（ａ）に示す通り、「ＡＢＣＤ」なる文字列が、左から右に向かう方向に読むことができるように、表示部１３の上部に表示される。これに対し、スイッチ２１がオン状態に設定されている場合には、図４（ａ）に示した表示内容が、表示部１３の表示面の中央部の周りで１８０度回転された状態に表示される。
【００３２】
尚、図４（ｂ）の表示がなされている表示器１を、ケーブル引出部１４ａ，１４ｂが表示器１の左側に配置されるように１８０度だけ回転させて設置すれば、図４（ａ）に示す表示と同じ表示にすることができる。つまり、「ＡＢＣＤ」なる文字列が、左から右に向かう方向に読むことができるように、表示部１３の上部に表示された状態にすることができる。このように、スイッチ２１のオン状態・オフ状態の切り替えを行うことで、表示部１３の表示内容を変えることなく、ケーブル引出部１４ａ，１４ｂが表示器１の右側に配置される状態に表示器１を設置するのか、或いはケーブル引出部１４ａ，１４ｂが表示器１の左側に配置される状態に表示器１を設置するのかを切り替えることができる。
【００３３】
図５は、本発明の一実施形態による表示器の設置例を示す図である。尚、図５においては、図１に示す構成と同じ構成には同一の符号を付してある。図５に示す例において、表示器１は、検出器Ｄの上方に位置し、検出器Ｄとともに固定プレートＰに固定された状態に設置される。検出器Ｄは、例えばレーザガス分析計の検出器であり、ケーブルの引出口ＯＬが図５の左側を向くように固定プレートＰに固定されている。尚、図５に示す検出器Ｄは、正面視での形状が円形のものであるが、検出器Ｄの形状は、円形に限られず任意の形状であって良い。
【００３４】
スイッチ２１がオフ状態である場合には、図４（ａ）を用いて説明した通り、表示部１３に表示される文字を左から右に向かう方向に読むことができるようにするには、ケーブル引出部１４ａ，１４ｂが表示器１の右側に配置されるように表示器１を設置する必要がある。このように表示器１を設置すると、図５（ｂ）に示す通り、表示器１のケーブル引出部１４ａ，１４ｂと検出器Ｄのケーブルの引出口ＯＬとは互いに逆方向を向いてしまう。
【００３５】
このため、表示器１と検出器Ｄとを接続するには、図５（ｂ）に示す通り、ケーブルＣ１を大きく引き回して配線しなければならない。また、図５（ｂ）に示す通り、ケーブルＣ１を保護するためにコンジットＱ１を用いると、曲げ半径が大きくなるため、ケーブルＣ１のみを配線する場合に比べてケーブルＣ１の引き回しが更に大きくなる。このように、ケーブルＣ１の引き回しが大きくなると、ケーブルＣ１及びコンジットＱ１のコストが上昇するとともに、設置スペースが必要になり、更に見た目も悪くなる。
【００３６】
これに対し、スイッチ２１がオン状態である場合には、図４（ｂ）を用いて説明した通り、表示部１３に表示される文字を左から右に向かう方向に読むことができるようにするには、ケーブル引出部１４ａ，１４ｂが表示器１の左側に配置されるように表示器１を設置する必要がある。このように表示器１を設置すると、図５（ａ）に示す通り、表示器１のケーブル引出部１４ａ，１４ｂと検出器Ｄのケーブルの引出口ＯＬとが同じ方向を向く。
【００３７】
すると、図５（ａ）に示す通り、ケーブルＣ２によって表示器１と検出器Ｄとを最短距離で接続することができる。ここで、図５（ａ）に示す通り、ケーブルＣ２を保護するためにコンジットＱ２を用いたとしても、ケーブルＣ２の配線はさほど長くならない。このように、本実施形態では、検出器Ｄのケーブルの引出口ＯＬの方向に合わせて表示器１を設置することで、表示器１と検出器Ｄとを最短距離で接続することができる。しかも、表示部１３に表示される文字は左から右に向かう方向に表示されることから、作業者は、表示部１３の表示内容を容易に確認することができる。
【００３８】
尚、図５に示す例における表示器１は、以下の手順で設置される。まず、固定プレートＰに検出器Ｄを固定する。次に、図５（ａ）に示す通り、表示器１が検出器Ｄの上方に位置し、且つ表示器１のケーブル引出部１４ａ，１４ｂと検出器Ｄのケーブルの引出口ＯＬとが同じ方向を向くように固定プレートＰに表示器１を固定し、ケーブルＣ２によって表示器１と検出器Ｄとを接続する。
【００３９】
続いて、表示器カバー１２の四隅に取り付けられたネジＮ１（図１参照）を、ドライバ等の工具を用いて取り外し、表示器カバー１２を開いた状態にする（図２（ａ）参照）。そして、ドライバ等の工具を用いて、保護プレート３０の小窓３０ａからスイッチ２１を操作して、表示部１３の表示内容を１８０度だけ回転させる。最後に、表示器カバー１２の四隅をネジＮ１によって筐体１１にネジ止めし、筐体１１を表示器カバー１２によって密閉する。
【００４０】
以上の通り、本実施形態では、表示部１３の表示内容を回転させるために操作されるスイッチ２１に対して行われる操作が保護プレート３０によって規制され、スイッチ２１が操作された場合に、表示部１３の表示内容が表示部１３の表示面内で予め規定された角度だけ回転されるようにしている。このため、周囲の状況に応じて最適な状態で表示器を設置することができるとともに、誤操作による表示内容の回転を防止することができる。
【００４１】
また、本実施形態では、表示部１３の表示内容を１８０度回転させており、回転の前後で画面の縦横比が変わることがないため、表示部１３の表示内容を回転させても見た目の印象が変わらない。また、表示部１３の表示内容が回転してもレイアウトの変更が必要ないため、開発工数の低減を図ることができる。加えて、本実施形態では、図５に示した通り、表示器１は、ケーブル引出部１４ａ，１４ｂが表示器１の左側又は右側に配置されるように設置されるため、埃や水がケーブル引出部１４ａ，１４ｂに入りにくい。
【００４２】
以上、本発明の一実施形態による表示器について説明したが、本発明は上記実施形態に制限されることなく、本発明の範囲内で自由に変更が可能である。例えば、上述した実施形態では、スイッチ２１が操作される度に表示部１３の表示内容が１８０度ずつ回転するものであったが、スイッチ２１が操作される度に９０度ずつ回転するものであっても良い。これにより、図６に示す通り、両側に障害物ＯＢ１，ＯＢ２が存在する設置場所にも表示器１を設置することが可能となる。
【００４３】
図６は、本発明の一実施形態による表示器の第１変形例を説明するためである。図６に示す表示器１は、スイッチ２１が操作される度に、表示部１３の表示内容が９０度ずつ回転するため、表示部１３の長辺が上下方向に沿うように設置することが可能である。これにより、図６に示す通り、ケーブル引出部１４ａ，１４ｂが表示器１の下側に位置するように表示器１を設置することができるため、両側に障害物ＯＢ１，ＯＢ２が存在する設置場所にも表示器１を設置することができる。
【００４４】
また、上述した実施形態では、表示部１３の表示内容を回転させるためのスイッチ２１は、電子基板２０に取り付けられた物理的なスイッチであった。しかしながら、表示部１３の表示内容を回転させるためのスイッチは、表示部１３に表示されるソフト的なスイッチであっても良い。図７は、本発明の一実施形態による表示器の第２変形例を説明するためである。図７に示す画面Ｇ１は認証画面であり、画面Ｇ２は回転操作画面である。
【００４５】
回転操作画面Ｇ２は、表示部１３の表示内容を回転させるための画面であり、画面回転ボタンＢ１（ソフト的なスイッチ：操作手段）が設けられている。この画面回転ボタンＢ１が操作される度に、表示部１３の表示内容が１８０度ずつ（或いは、９０度ずつ）回転する。認証画面Ｇ１（誤操作防止手段）は、回転操作画面Ｇ２を表示させるための画面であり、認証キー入力欄ＲとテンキーＫとが設けられている。テンキーＫを操作して認証キー入力欄Ｒに入力された認証キーが、予め登録された場合に、回転操作画面Ｇ２が表示される。このように、回転操作画面Ｇ２に設けられた画面回転ボタンＢ１に対して行われる操作が、認証画面Ｇ１によって規制されている。
【００４６】
また、上記実施形態では、表示部１３が、表示機能と操作機能とを兼ね備えるタッチパネル式の液晶表示装置を備えるものとして説明したが、表示部１３に設けられる液晶表示装置は、表示機能のみを備えるものであっても良い。勿論、表示部１３に設けられる表示装置は液晶表示装置に限定される訳ではなく、有機ＥＬ（Electro-Luminescence）表示装置等の他の表示装置であっても良い。
【符号の説明】
【００４７】
１                表示器
１１              筐体
１３              表示部
１４ａ，１４ｂ    ケーブル引出部
２０              電子基板
２１              スイッチ
３０              保護プレート
３０ａ            小窓
４３              制御部
Ｂ１              画面回転ボタン
Ｇ１              認証画面
【図１】
0006417874.tif 000002
【図２】
0006417874.tif 000003
【図３】
0006417874.tif 000004
【図４】
0006417874.tif 000005
【図５】
0006417874.tif 000006
【図６】
0006417874.tif 000007
【図７】
0006417874.tif 000008